(57)【要約】【課題】この発明は、複数階層からなるメニューを表示させて目的となる操作を行う場合に、少ない操作回数で最終的に希望する選択項目を選択できるようになるデジタルテレビ放送受信機を提供することを目的とする。【解決手段】各メニュー毎に、そのメニュー上で最新に選択された選択項目番号を前回選択項目番号として記憶するための不揮発性メモリ、メニューを表示する際には、不揮発性メモリから当該メニューに対応する前回選択項目番号を読み出して、前回選択された項目をデフォルトの仮選択状態にさせる手段を備えている。【選択図】図１
2007251482.tif 000002
【特許請求の範囲】
【請求項１】
複数階層からなるメニューを表示する機能を備えたデジタルテレビ放送受信機において、
各メニュー毎に、そのメニュー上で最新に選択された選択項目番号を前回選択項目番号として記憶するための不揮発性メモリ、
メニューを表示する際には、不揮発性メモリから当該メニューに対応する前回選択項目番号を読み出して、前回選択された項目をデフォルトの仮選択状態にさせる手段、
表示されているメニュー上の選択項目が選択された際には、当該メニューにおいて前回選択された項目と今回選択された項目とが同じであるか否かを判別する判別手段、
判別手段により、当該メニューにおいて前回選択された項目と今回選択された項目とが同じである場合には、不揮発性メモリ内の当該メニューに対応する前回選択項目番号を更新することなく、選択された項目に対応するメニューを表示させる手段、ならびに
判別手段により、当該メニューにおいて前回選択された項目と今回選択された項目とが異なると判別された場合には、不揮発性メモリ内の当該メニューに対応する前回選択項目番号を今回選択された選択項目番号に更新した後、選択された項目に対応するメニューを表示させる手段、
を備えていることを特徴とするデジタルテレビ放送受信機。
【発明の詳細な説明】
【技術分野】
【０００１】
この発明は、デジタルテレビ放送受信機に関する。
【背景技術】
【０００２】
デジタルテレビ放送受信機では、従来のアナログ放送と同様に映像や音声が送信されている他に、放送局からのメールやメッセージ、チャンネル情報や番組情報なども送信されている。
【０００３】
また、多機能の受信機として、番組情報や字幕／文字スーパー情報の表示設定、予約に関する設定、外部機器との接続設定、内蔵するモデムやネットワークの設定など、アナログ放送テレビ受信機に比べて、非常に多くの設定が必要となっている。
【０００４】
これらの情報の表示や受信機の設定を行なう場合には、一般にはまずリモコン送信機のメニューキーを押下げる。これにより、メインメニューが表示される。次に、表示されたメインメニューを見て、リモコン送信機の上下左右の矢印キーで希望する項目を仮選択状態にし、リモコン送信機の決定ボタンを押す。これにより、仮選択状態の項目が選択されたことになり、選択された項目に対応するサブメニューが表示される。サブメニューにおいても、項目を選択する必要がある場合には、上下左右の矢印キーで希望する項目を仮選択状態にし、決定ボタンを押下げる。これにより、仮選択状態の項目が選択されたことになり、選択された項目に対応するサブメニューが表示される。
【０００５】
一般に、総選択項目数が同じである場合、１つのメニューで多くの項目を表示するとメニューの階層数は少なくなるが、１つのメニュー内での項目間を移動するために上下左右の矢印キーの操作回数が多くなる。１つのメニューの項目数を少なくすると、メニューの階層数が多くなり、メニューを切り換えるための操作回数が多くなる。
【０００６】
したがって、いずれにしても、総選択項目数が多くなると、希望する項目を選択するまでのリモコン送信機の操作回数が多くなる。このことが、多機能のデジタル放送受信機を十分に使いこなせなかったり、受信機の設定ミスが発生する一因となっていると思われる。
【発明の開示】
【発明が解決しようとする課題】
【０００７】
この発明は、複数階層からなるメニューを表示させて目的となる操作を行う場合に、少ない操作回数で最終的に希望する選択項目を選択できるようになるデジタルテレビ放送受信機を提供することを目的とする。
【０００８】
また、この発明は、メニューを表示させたときに、前回選択した選択項目をユーザが確認することができるようになるデジタルテレビ放送受信機を提供することを目的とする。
【課題を解決するための手段】
【０００９】
請求項１に記載の発明は、複数階層からなるメニューを表示する機能を備えたデジタルテレビ放送受信機において、各メニュー毎に、そのメニュー上で最新に選択された選択項目番号を前回選択項目番号として記憶するための不揮発性メモリ、メニューを表示する際には、不揮発性メモリから当該メニューに対応する前回選択項目番号を読み出して、前回選択された項目をデフォルトの仮選択状態にさせる手段、表示されているメニュー上の選択項目が選択された際には、当該メニューにおいて前回選択された項目と今回選択された項目とが同じであるか否かを判別する判別手段、判別手段により、当該メニューにおいて前回選択された項目と今回選択された項目とが同じである場合には、不揮発性メモリ内の当該メニューに対応する前回選択項目番号を更新することなく、選択された項目に対応するメニューを表示させる手段、ならびに判別手段により、当該メニューにおいて前回選択された項目と今回選択された項目とが異なると判別された場合には、不揮発性メモリ内の当該メニューに対応する前回選択項目番号を今回選択された選択項目番号に更新した後、選択された項目に対応するメニューを表示させる手段を備えていることを特徴とする。
【発明の効果】
【００１０】
この発明によれば、複数階層からなるメニューを表示させて目的となる操作を行う場合に、少ない操作回数で最終的に希望する選択項目を選択できるようになる。
【００１１】
また、この発明によれば、メニューを表示させたときに、前回選択した選択項目をユーザが確認することができるようになる。
【発明を実施するための最良の形態】
【００１２】
以下、図面を参照して、この発明の実施例について説明する。
【実施例１】
【００１３】
図１は、デジタルテレビ放送受信機の構成を示している。
【００１４】
チューナ部１は、デジタル放送データを受信して復調し、復調信号をデマルチプレクサ部２に送出する。デマルチプレクサ部２は、復調信号を、音声データ、映像データおよび放送局からのメールやメッセージ、放送局や番組の情報などに分離する。そして、音声データを音声処理部３に、映像データを映像処理部４に、放送局からのメールやメッセージ、放送局や番組の情報等をメモリ部５に出力する。オンスクリーン生成部７は、番組ガイド（ＥＰＧ）、メニュー（メインメニューおよびサブメニュー）等の表示データを生成して、映像合成部８に送る。
【００１５】
音声処理部３によって得られた音声信号は、音声出力端子１０に送出される。映像処理部４によって得られた映像信号は、映像合成部８に送られる。映像合成部８では、映像処理部４から送られてきた映像信号にオンスクリーン生成部７から送られてきた表示データを合成する。映像合成部８から出力される映像信号は、ＮＴＳＣ変換部９を介して映像出力端子１１に送出される。
【００１６】
ＣＰＵ部１２は、受信機の各部を制御する。リモコン送信機２０からのリモコン信号は、リモコン受信部１３を介してＣＰＵ１２に入力する。リモコン送信機２０には、メニューキー、上下左右の矢印キー、決定キー等が設けられている。不揮発性メモリ部６には、各メニュー（メインメニューおよびサブメニュー）を表すメニューＩＤ毎に、そのメニュー上で最新に選択された項目が、前回選択された項目の番号（前回選択項目番号）として記憶される。
【００１７】
ユーザがリモコン送信機２０のメニューキーを押下げると、メニューキーに応じたリモコン信号がリモコン受信部１３を介してＣＰＵ１２に入力される。ＣＰＵ１２は、このリモコン信号を受信すると、メインメニューをオンスクリーン生成部７によって生成させて、映像合成部８により映像信号に合成させる。これにより、テレビモニタに、例えば、図２に示すような、メインメニューがオンスクリーン表示される。この際、ＣＰＵ１２は、不揮発性メモリ部６に記憶されているメインメニューに対応する前回選択項目番号を読み込み、その項目にフォーカスを当てる（その項目をハイライト表示する）。つまり、前回選択された項目を今回におけるデフォルトの仮選択項目とする。仮選択項目になっている項目はハイライト表示される。図２の例では、”受信機設定（２）”の選択項目が前回選択された項目であるため、ハイライト表示されている。
【００１８】
このようにしている理由は、次の通りである。メニュー上の選択項目から希望の選択項目を選択するには、まず、リモコン送信機の上下左右の矢印キーで希望する項目を仮選択状態にし、リモコン送信機の決定ボタンを押す必要がある。しかしながら、あるメニューが表示された場合、前回選択された項目は今回においても選択される可能性が高いと考えられる。そこで、前回選択された項目を今回におけるデフォルトの仮選択項目（仮選択状態）とすることにより、上下左右の矢印キーを操作することなく、決定キーを押下げるだけで、前回選択された項目と同じ項目を選択できるようにする。
【００１９】
ユーザが今回においても、前回選択された項目と同じ項目を選択した場合には、不揮発性メモリ部６に記憶されているメインメニューに対応する前回選択項目番号を更新することなく、そのまま保存する。ユーザが今回において、前回選択された項目とは異なる項目を選択した場合には、不揮発性メモリ部６に記憶されているメインメニューに対応する前回選択項目番号を、今回選択された項目に対応する選択項目番号に更新する。
【００２０】
メインメニュー上の選択項目が選択された場合には、ＣＰＵ１２は、例えば、選択された項目に対応するサブメニューをオンスクリーン生成部７によって生成させて、映像合成部８により映像信号に合成させる。これにより、テレビモニタに選択された項目に対応するサブメニューがオンスクリーン表示される。図３に、メインメニュー上の”受信機設定（２）”の選択項目が選択された場合に表示されるサブメニューの例を示す。この際、ＣＰＵ１２は、不揮発性メモリ部６に記憶されている当該サブメニューに対応する前回選択項目番号を読み込み、その項目にフォーカスを当てる（その項目をハイライト表示する）。つまり、前回選択された項目を今回におけるデフォルトの仮選択項目とする。図３の例では、”電話回線設定”の選択項目が前回選択された項目であるため、ハイライト表示されている。
【００２１】
ユーザが今回においても、前回選択された項目と同じ項目を選択した場合には、不揮発性メモリ部６に記憶されている当該サブメニューに対応する前回選択項目番号を更新することなく、そのまま保存する。ユーザが今回において、前回選択された項目とは異なる項目を選択した場合には、不揮発性メモリ部６に記憶されている当該サブメニューに対応する前回選択項目番号を、今回選択された項目に対応する選択項目番号に更新する。
【００２２】
サブメニュー上の選択項目が選択された場合も、同様な動作により、テレビモニタに選択された項目に対応するサブメニューがオンスクリーン表示される。この際、ＣＰＵ１２は、不揮発性メモリ部６に記憶されている当該サブメニューに対応する前回選択項目番号を読み込み、その項目にフォーカスを当てる（その項目をハイライト表示する）。つまり、前回選択された項目を今回におけるデフォルトの仮選択項目とする。
【００２３】
図４は、メニューの表示処理手順を示している。
【００２４】
まず、メニューキーが押下げられると（ステップＳ１）、メインメニューに対応するＩＤを、次表示メニューＩＤとして設定する（ステップＳ２）。
【００２５】
次表示メニューＩＤに対応するメニューを表示させる（ステップＳ３）。また、不揮発性メモリ部６から当該メニューＩＤに対応する前回選択項目番号を読み込み（ステップＳ４）、前回選択項目を仮選択状態にする（ステップＳ５）。前回選択項目が仮選択状態であることを示すために、前回選択項目をハイライト表示する。
【００２６】
ユーザは矢印キー操作により表示されている選択項目から希望する選択項目を仮選択し、決定キーを押すことにより、項目を選択する。ユーザ操作により、項目が選択されると（ステップＳ６）、今回選択された項目が前回選択された項目と同じであるか否かを判別する（ステップＳ７）。今回選択された項目が前回選択された項目と異なる場合には、不揮発性メモリ部６に記憶されている当該メニューＩＤに対応する前回選択項目番号を、今回選択された選択項目番号に更新した後（ステップＳ８）、ステップＳ９に進む。
【００２７】
上記ステップＳ７において、今回選択された項目が前回選択された項目と同じである場合には、不揮発性メモリ部６に記憶されている当該メニューＩＤに対応する前回選択項目番号を更新することなく、そのまま保持して、ステップＳ９に進む。
【００２８】
ステップＳ９では、今回選択された項目に対応して表示すべきメニューのＩＤを、次表示メニューＩＤとして設定する。そして、ステップＳ３に戻る。
【００２９】
なお、メニュー消去指令が入力された場合には、メニューの表示処理は終了する。
【００３０】
上記実施例によれば、複数階層からメニューを表示させて、チャンネル情報や番組情報を表示させるときや、受信機設定を行なうときに、少ない操作回数で最終的に希望する選択項目を選択できるようになる。また、メニューを表示させたときに、前回選択した選択項目をユーザが確認することができるようになる。
【図面の簡単な説明】
【００３１】
【図１】デジタルテレビ放送受信機の構成を示すブロック図である。
【図２】メインメニューの一例を示す模式図である。
【図３】図２のメインメニュー上の”受信機設定（２）”の選択項目が選択された場合に表示されるサブメニューの例を示す模式図である。
【図４】メニューの表示処理手順を示すフローチャートである。
【符号の説明】
【００３２】
５  メモリ部
６  不揮発性メモリ部
７  オンスクリーン生成部
１２  ＣＰＵ部
【図１】
2007251482.tif 000003
【図２】
2007251482.tif 000004
【図３】
2007251482.tif 000005
【図４】
2007251482.tif 000006